(57)【要約】【課題】扉面に簡単に添設できて押板の操作性にも優れた非常扉の開扉装置を提供する。【解決手段】開扉装置は、扉面に添設される取付けケース２３と、取付けケース２３内に組み付けられる組付けプレート２２と、組付けプレート２２に取り付けられたレールガイド２６に保持されて扉面と直交する方向に進退する横長形状のプッシュレール２１と、両レールガイド２６間に組付けられたリンクロッド２８と、プッシュレール２１の進退動作に従動して錠装置１１を解錠側に動かす解錠手段と、プッシュレール２１を押込み前の待機位置に戻す復帰付勢手段とを備える。プッシュレール２１の両端近傍とリンクロッド２８の両端近傍とが、各レールガイド２６に回動可能に取り付けられた左右一対のクランク部材２７を介してピン連結され、平面視略平行四辺形をなす平行リンク機構が形成される。【選択図】  図７
2018016967.tif 000002
【特許請求の範囲】
【請求項１】
屋内側から屋外側に向けて開放される扉が、前記扉に取り付けられた錠装置によって閉扉位置に拘束され、前記扉の屋内側の表面に取り付けられたプッシュレールの押込み操作により、前記錠装置が解錠されて前記扉が開放される非常扉の開扉装置であって、
前記開扉装置は、
平坦な背面を有して、該背面が前記扉の屋内側の表面に添設される横長形状の取付けケースと、
前記取付けケース内に組み付けられる組付けプレートと、
前記組付けプレートを介して前記取付けケースに保持され、扉面と直交する方向に進退する横長形状のプッシュレールと、
前記プッシュレールの進退動作に従動して前記錠装置を解錠側に動かす解錠手段と、
前記プッシュレールを押込み前の待機位置に戻す復帰付勢手段と、
を備え、
前記プッシュレールの両端近傍に取り付けられた左右一対の作動ピンが、前記組付けプレートの両端近傍に固着された左右一対のレールガイドに形成されたガイド用長孔にそれぞれ係合して、前記プッシュレールの進退方向が扉面と直交する方向に規制されるとともに、
前記左右一対のレールガイド間には、横長のリンクロッドが前記プッシュレールと平行に組み付けられ、
前記プッシュレールの両端近傍と前記リンクロッドの両端近傍とが、前記各レールガイドにそれぞれ回動可能に取り付けられた左右一対のクランク部材を介してピン連結されることにより、平面視略平行四辺形をなす平行リンク機構が形成され、
前記プッシュレールの一部分が押し込まれて、少なくとも一方のクランク部材が回動すると、前記リンクロッドが扉面と平行に移動して前記平行リンク機構が変形することにより、前記プッシュレールが扉面と平行な姿勢を保持して左右均等に進退するように構成された
ことを特徴とする非常扉の開扉装置。
【請求項２】
請求項１に記載された非常扉の開扉装置において、
前記クランク部材は、垂直軸回りに回動し得る３箇所のピン節点を有し、
前記ピン節点の一つは、前記クランク部材を回動させる支点として前記レールガイドに回転可能に軸着され、
前記ピン節点の一つは、前記プッシュレールの押込み操作を受ける力点として前記作動ピンに係合され、
前記ピン節点の一つは、前記リンクロッドを動かす作用点として前記リンクロッドの両端近傍に連結され、
前記力点および前記作用点は、前記支点を中心とする互いの平面角が７５〜１０５度、支点−力点間距離Ａと支点−作用点間距離Ｂとの比Ａ：Ｂが２：１〜１：１、となるように配置されている
ことを特徴とする非常扉の開扉装置。
【請求項３】
請求項１または２に記載された非常扉の開扉装置において、
前記取付けケースは正面側に開口する略箱形の部材であり、その左右両端の側壁部に前記組付けプレートの左右両端部がそれぞれ結合された
ことを特徴とする非常扉の開扉装置。
【請求項４】
請求項１、２または３に記載された非常扉の開扉装置において、
前記取付けケースの左右両端には、正面側に開口するガイド孔を有する潤滑樹脂製のガイドキャップが取り付けられるとともに、
前記プッシュレールの両端近傍の裏面には扉側に向けてガイドピンが突設され、
前記ガイドピンが前記ガイド孔に挿入された状態で前記プッシュレールの進退動作が案内される
ことを特徴とする非常扉の開扉装置。
【請求項５】
請求項１〜４のいずれか一項に記載された非常扉の開扉装置において、
前記組付けプレートの中間付近に、適宜の支軸を支点に揺動して前記リンクロッドに係脱する解錠ストッパーが、前記取付けケースの下方から手動操作し得るように取り付けられ、
前記解錠ストッパーを前記リンクロッドに係止させることにより、前記リンクロッドの移動が規制されて前記平行リンク機構が変形不能に拘束され、前記錠装置が解錠状態に保持される
ことを特徴とする非常扉の開扉装置。
【請求項６】
請求項１〜５のいずれか一項に記載された非常扉の開扉装置において、
前記解錠手段は、前記取付けケースの背面を貫通して前記扉内に突出する解錠トリガーを有し、
前記解錠トリガーがプッシュレールの押込み操作により揺動して、前記扉内に取り付けられた彫込型の錠装置を解錠側に動かすように構成された
ことを特徴とする非常扉の開扉装置。
【請求項７】
請求項１〜５のいずれか一項に記載された非常扉の開扉装置において、
前記解錠手段は、前記リンクロッドの戸先側の端部近傍から扉の戸先側に向けて延設され、前記この開扉装置と一体的に構成された面付型の錠装置に連結されて、前記プッシュレールの押込み操作により前記錠装置の閂部材を引き込むように構成された
ことを特徴とする非常扉の開扉装置。
【発明の詳細な説明】
【技術分野】
【０００１】
本発明は、特に緊急時の脱出用として各種施設に設置される非常扉を、簡単迅速に開放するための開扉装置に関する。より詳細には、屋外側に向けて押し開く方式の非常扉の屋内側に取り付けられるプッシュレール（押板）の作動機構に特徴を有する非常扉の開扉装置に関する。
【背景技術】
【０００２】
大勢の人々が利用する公共施設や商業施設、業務施設等においては、火災等の緊急事態が発生した際に、人々が安全かつ迅速に屋外へと脱出するための避難経路を設ける必要がある。
【０００３】
かかる開扉装置の基本的な構成は、扉（ウイング）の屋内側に取り付けられた横長のハンドルまたは押板を押すと、該ハンドルまたは押板に連結された解錠機構が、扉の戸先近傍に取り付けられた錠装置を解錠側に動かして、錠装置の錠面から突出している閂部材（デッドボルト、ラッチあるいは錠杆）を没入させることにより、扉の拘束が解除されて開扉可能になる、というものである。このような閂部材に加えて、扉の上下にもピンまたはラッチ状の補助的な閂部材を突出させて開口枠の上下２ヶ所に係合させる３点締まり（多点締まり）式の開扉装置もよく利用されている。ハンドルまたは押板を押すことによって扉を屋外側に開放するように構成された開扉装置は、非常口に押し寄せる人波の圧力に逆らわず、人々を円滑に避難させる、という利点を有する。
【０００４】
その種の非常扉の開扉装置のうち、特に、扉の屋内側に取り付けたハンドルを斜め下方に押し下げるのではなく、押板を水平方向に押し込むように構成された開扉装置として、例えば特許文献１〜３等に開示されたものが公知である。
【先行技術文献】
【特許文献】
【０００５】
【特許文献１】特公昭６０−１５７９５号公報
【特許文献２】実開昭６２−１１５４９３号公報
【特許文献３】特開平８−８６１３３号公報
【発明の概要】
【発明が解決しようとする課題】
【０００６】
特許文献１には、扉の屋内側の表面に固着される取付けレールと、取付けレールに対して移動可能に組み付けられたプッシュレール（押板）とを有し、プッシュレールを押すことによってラッチボルトを解錠側に動かす出口用扉のための掛け金および作動機構が開示されている。プッシュレールは、左右一対の連結アームを介して取付けレールに連結されており、各連結アームは、その両端近傍が取付けレールおよびプッシュレールにそれぞれ軸着されて回動するように構成されている。この機構では、屋内側からプッシュレールを押すと、プッシュレールが連結アームを回動させながら、扉面に対して垂直ではなく、斜め横にズレるように変位する。つまり、プッシュレールを動かす向きと扉を押し開く向きとが一致しないので、利用者に若干の違和感を与える。しかも、この機構では、プッシュレールが常時、扉面と平行な姿勢を保持して左右均等に変位するとは限らず、プッシュレールの戸先側を押せば掛け金が解錠されるが、吊元側を押せば円滑に解除されない、ということが生じ得る。
【０００７】
特許文献２には、内外二重に組み付けられた親子扉において、内側の子扉の屋内側の表面に横長の押板が取り付けられ、押板が押されると、その片側軸材が子扉を扉面に直交する方向に摺動して、子扉の内部に組み込まれた引掛錠を解錠側に動かす機構が開示されている。この機構でも、押板が常時、扉面と平行な姿勢を保持して左右均等に変位することにはならず、押板の戸先側を押せば引掛錠は解錠されるが、吊元側を押せば円滑に解除されない、ということが生じ得る。
【０００８】
特許文献３には、扉の屋内側表面に横長矩形の凹部を形成し、その凹部内に押板を組み付けて、押板の表面を扉の屋内側表面と面一に納めた非常扉の開扉装置が開示されている。この機構では、押板の四隅から突設したシャフトを、凹部側に取り付けたスライドベアリングで摺動可能に保持することで、押板のどの位置を押しても、押板が扉面と平行な姿勢を保持して変位するように構成している。しかし、スライドベアリングを用いても押板の片押しを完全に防ぐのは難しく、仮に吊元側を押した場合は解錠機構が円滑に作動しない、ということが生じ得る。さらに、直動精度の高いスライドベアリングを４個も必要とするので、組み付けコストも高くなる。
【０００９】
また、前記特許文献２、３に開示された機構は、扉自体を大きく彫り込んで解錠機構等を組み付けているので、扉の加工に手間やコストがかかり、扉厚が小さい場合は組み付けが困難になる。
【００１０】
本発明は、これらの事情に鑑みてなされたもので、扉の表面に簡単に添設することができて、外観がよく、押板の操作性にも優れた非常扉の開扉装置を提供するものである。特に、押板の操作性については、どの位置を押しても、押板が扉に平行な姿勢を保持したまま左右均等に変位して、解錠機構が円滑に作動することを重視して構成する。
【００１１】
なお、本発明における「非常扉」とは、扉の種類や日常的な利用態様について特に厳密に規定されるものではなく、緊急時の避難用として利用される可能性がある扉全般を包括する。
【００１２】
また、本発明においては、扉が「屋内側」から「屋外側」に向けて開放されるものと設定し、各部位・部材の位置関係を、「屋内（側）／屋外（側）」という表現で説明するが、この基準は説明の便宜上のものであって、「屋内」及び「屋外」に相当する各領域の形態や規模、利用態様等は特に限定しない。つまり、本発明の構成は、非常扉が設置される施設において、緊急時に退出すべき区域が「屋内」、相対的に安全な区域が「屋外」に該当するものとして理解されるべきである。
【課題を解決するための手段】
【００１３】
前述の目的を達成するために、本発明の非常扉の開扉装置は、屋内側から屋外側に向けて開放される扉が、前記扉に取り付けられた錠装置によって閉扉位置に拘束され、前記扉の屋内側の表面に取り付けられたプッシュレールの押込み操作により、前記錠装置が解錠されて前記扉が開放される非常扉の開扉装置であって、前記開扉装置は、平坦な背面を有して、該背面が前記扉の屋内側の表面に添設される横長形状の取付けケースと、前記取付けケース内に組み付けられる組付けプレートと、前記組付けプレートを介して前記取付けケースに保持され、扉面と直交する方向に進退する横長形状のプッシュレールと、前記プッシュレールの進退動作に従動して前記錠装置を解錠側に動かす解錠手段と、前記プッシュレールを押込み前の待機位置に戻す復帰付勢手段と、を備え、前記プッシュレールの両端近傍に取り付けられた左右一対の作動ピンが、前記組付けプレートの両端近傍に固着された左右一対のレールガイドに形成されたガイド用長孔にそれぞれ係合して、前記プッシュレールの進退方向が扉面と直交する方向に規制されるとともに、前記左右一対のレールガイド間には、横長のリンクロッドが前記プッシュレールと平行に組み付けられ、前記プッシュレールの両端近傍と前記リンクロッドの両端近傍とが、前記各レールガイドにそれぞれ回動可能に取り付けられた左右一対のクランク部材を介してピン連結されることにより、平面視略平行四辺形をなす平行リンク機構が形成され、前記プッシュレールの一部分が押し込まれて、少なくとも一方のクランク部材が回動すると、前記リンクロッドが扉面と平行に移動して前記平行リンク機構が変形することにより、前記プッシュレールが扉面と平行な姿勢を保持して左右均等に進退する、との構成を採用する。
【００１４】
この発明によれば、プッシュレールを押し込んで錠装置を解錠するための機構部分を簡素かつコンパクトに構成することができる。機構部分を構成する部品の組付けと、扉への取付けも容易である。また、プッシュレールは、どの位置を押しても常時、扉に平行な姿勢を保持して左右均等に変位するので、開扉時の操作性が快適になる。
【００１５】
さらに、本発明の非常扉の開扉装置は、前記クランク部材が、垂直軸回りに回動し得る３箇所のピン節点を有し、前記ピン節点の一つは、前記クランク部材を回動させる支点として前記レールガイドに回転可能に軸着され、前記ピン節点の一つは、前記プッシュレールの押込み操作を受ける力点として前記作動ピンに係合され、前記ピン節点の一つは、前記リンクロッドを動かす作用点として前記リンクロッドの両端近傍に連結され、前記力点および前記作用点は、前記支点を中心とする互いの平面角が７５〜１０５度、支点−力点間距離Ａと支点−作用点間距離Ｂとの比Ａ：Ｂが２：１〜１：１、となるように配置されている、との構成を採用する。この構成によれば、プッシュレールの押込み操作に従動して平行リンク機構が効率よく変形し、解錠手段が軽快に動作する。
【００１６】
さらに、本発明の非常扉の開扉装置は、前記取付けケースが正面側に開口する略箱形の部材であり、その左右両端の側壁部に前記組付けプレートの左右両端部がそれぞれ結合された、との構成を採用する。この構成によれば、プッシュレールと組付けプレートとを連結して主要な機構部分を一体化しておくとともに、取付けケースは扉に添設しておき、取付けケースの内部に組付けプレートを収納するようにして両者を結合する、という態様での組付けが可能になるので、扉への取付けが一層、容易になり、取付後の外観もスッキリとしたものにすることができる
さらに、本発明の非常扉の開扉装置は、前記取付けケースの左右両端に、正面側に開口するガイド孔を有する潤滑樹脂製のガイドキャップが取り付けられるとともに、前記プッシュレールの両端近傍の裏面には扉側に向けてガイドピンが突設され、前記ガイドピンが前記ガイド孔に挿入された状態で前記プッシュレールの進退動作が案内される、との構成を採用する。これにより、プッシュレールの押込み操作が、より円滑になる。
【００１７】
さらに、本発明の非常扉の開扉装置は、前記組付けプレートの中間付近に、適宜の支軸を支点に揺動して前記リンクロッドに係脱する解錠ストッパーが、前記取付けケースの下方から手動操作し得るように取り付けられ、前記解錠ストッパーを前記リンクロッドに係止させることにより、前記リンクロッドの移動が規制されて前記平行リンク機構が変形不能に拘束され、前記錠装置が解錠状態に保持される、との構成を採用する。これにより、扉を解錠状態にして保持するための機構が簡素になり、その操作も簡単になる。
【００１８】
さらに、本発明の非常扉の開扉装置は、前記解錠手段が、前記取付けケースの背面を貫通して前記扉内に突出する解錠トリガーを有し、前記解錠トリガーがプッシュレールの押込み操作により揺動して、前記扉内に取り付けられた彫込型の錠装置を解錠側に動かすように構成することができる。
【００１９】
また、本発明の非常扉の開扉装置は、前記解錠手段が前記リンクロッドの戸先側の端部近傍から扉の戸先側に向けて延設され、前記この開扉装置と一体的に構成された面付型の錠装置に連結されて、前記プッシュレールの押込み操作により前記錠装置の閂部材を引き込むように構成することができる。
【発明の効果】
【００２０】
前述のように特徴付けられる本発明の非常扉の開扉装置によれば、プッシュレール（押板）を押し込んで錠装置を解錠するための機構部分を簡素かつコンパクトに構成することができる。錠装置が、扉の内部に収納される彫込型、または開扉装置と一体的に構成される面付型のいずれであっても、開扉装置を扉の表面に容易に、かつ納まりよく取り付けることができ、取付後の外観もスッキリとしたものになる。そして、プッシュレールが、どの位置を押しても常時、扉に平行な姿勢を保持して左右均等に変位するので、開扉時の操作性が快適になる。
【図面の簡単な説明】
【００２１】
【図１】本発明の第１実施形態に係る非常扉の屋内側全体正面図である。
【図２】前記非常扉の開扉装置の内部機構を示す横断面図である。
【図３】前記非常扉の開扉装置の内部機構を示す屋内側正面図である。
【図４】前記非常扉の開扉装置の、取付けケースと組付けプレートとプッシュレールとを分解した状態の上面図である。
【図５】前記非常扉の開扉装置の、取付けケースと組付けプレートとプッシュレールとを分解した状態の屋内側正面図である。
【図６】前記非常扉の開扉装置の内部機構の要部斜視図である。
【図７】前記非常扉の開扉装置における平行リンク機構の動作を示す部分上面図であり、（ａ）は施錠時の待機状態、（ｂ）はプッシュレールの押込み操作による解錠状態を示す。
【図８】前記非常扉の開扉装置における平行リンク機構の動作を示すＡ−Ａ断面図であり、（ａ）は施錠時の待機状態、（ｂ）はプッシュレールの押込み操作による解錠状態を示す。
【図９】前記非常扉の開扉装置における解錠手段の動作を示すＢ−Ｂ断面図であり、（ａ）は施錠時の待機状態、（ｂ）はプッシュレールの押込み操作による解錠状態を示す。
【図１０】前記非常扉の開扉装置におけるロック手段の動作を示す上面図であり、（ａ）は施錠時の待機状態、（ｂ）はプッシュレールの押込み操作による解錠状態を示す。
【図１１】本発明の第２実施形態に係る非常扉の屋内側全体正面図である。
【図１２】前記非常扉の開扉装置の戸先近傍の内部機構を示す横断面図である。
【図１３】前記非常扉の開扉装置の戸先近傍の内部機構を示す屋内側正面図である。
【図１４】前記非常扉の開扉装置の戸先近傍の内部機構を示す縦断面図である。
【図１５】前記非常扉の開扉装置をプッシュレールの押込み操作によって開扉する場合の解錠手段の動作を示す、戸先近傍の要部上面図である。
【図１６】同じく、戸先近傍の要部正面図である。
【図１７】前記非常扉の開扉装置をレバーハンドルの押下げ操作によって開扉する場合の解錠手段の動作を示す、戸先近傍の要部上面図である。
【図１８】同じく、戸先近傍の要部正面図である。
【図１９】前記非常扉の開扉装置がシリンダー錠またはサムターンの操作によって施錠されている場合の解錠手段の動作を示す、戸先近傍の要部正面図である。
【発明を実施するための形態】
【００２２】
以下、本発明の実施形態について図を参照して説明する。なお、以下に説明する複数の実施形態において、実質的な機能または作用が共通する構成要素には同一の符号を付して、後述する実施形態についての重複説明を省略する。また、先述の実施形態以降における特定の構成要素と、後述の実施形態における類似の構成要素とを特に区別する必要がある場合には、必要に応じて、それらの構成要素に対応する符号にアルファベット（Ａ，Ｂ，…）を付すが、当該構成要素に関する基本的概念は各実施形態を通じて共通である。
【００２３】
［第１実施形態］
図１は本発明の第１実施形態に係る非常扉１Ａの全体的構成を屋内側（退室側）から見た正面図である。この非常扉１Ａは、扉（ウイング）１０が、図中右側を吊元側として適宜のヒンジ部材（図示せず）により軸支され、屋内側から屋外側に向けて開放されるものである。扉１０の戸先近傍には彫込型の錠装置１１Ａが取り付けられ、この錠装置１１Ａの錠面から出没する閂部材としてのデッドボルト１２Ａが、扉枠１３の枠内に取り付けられたストライク１４Ａに係合して、扉１０が閉扉位置に拘束される。扉１０の屋内側の表面には、扉幅の略一杯にわたって、横長形状のプッシュレール２１を有する開扉装置２０Ａが取り付けられる。このプッシュレール２１を扉１０側に向けて押込むと、開扉装置に組付けられた解錠手段（後述）が錠装置１１Ａを解錠側に動かして、扉１０が開放される。
【００２４】
図２〜図１０は、この非常扉１Ａに取り付けられる開扉装置２０Ａの内部機構を示す。例示の開扉装置２０Ａにおいては、プッシュレール２１を進退可能に保持する主要な機構部分が、横長形状の組付けプレート２２に組み付けられた状態で、扉１０の屋内側の表面に添設された横長形状の取付けケース２３内に収納される。
【００２５】
取付けケース２３は、正面側に開口する略箱形の部材である。背板部２３１は平坦に形成されて、その背面が扉１０の表面に添設され、固定ねじ２３２等を用いて扉１０に固着される。背板部２３１の上下両縁には、上壁部２３３と下壁部２３４とが、正面側に等幅でせり出すように形成されている。また、取付ケース２３の左右両端は、所定の間隔を隔てて相対する内側蓋２３５と外側蓋２３６によって塞がれている。背板部２３１の戸先近傍には、解錠手段を構成する解錠トリガー３４（後述）を挿通させる縦長矩形の窓孔２３７が形成されている。
【００２６】
組付けプレート２２は、開扉装置２０Ａの内部機構を構成する部品等を組付けるための部材で、取付けケース２３の内側に納まる横長の平坦な基板部２２１を有している。基板部２２１の左右両端には正面側にせり出す締結片２２２が形成され、基板部２２１の上下両縁には補剛リブ２２３が形成されている。基板部２２１の戸先近傍には、解錠トリガー３４を挿通させる縦長矩形の窓孔２２６が、取付けケース２３の窓孔２３７と重なるように形成されている。また、取付けケース２３を扉１０に添設する固定ねじと重なる位置には、固定ねじの頭部との干渉を避けるための逃げ孔２２７が形成されている。
【００２７】
プッシュレール２１は、扉１０側に向って開口する略箱形の部材であり、取付けケース２３よりもひと回り大きい平坦な押板部２１１と、その上下両縁から後方に等幅でせり出す上面部２１２および下面部２１３と、左右両端から湾曲しつつ後方に延び出す曲端部２１４と、を有して、取付けケース２３の正面側に被せられる。
【００２８】
プッシュレール２１の背面の両端近傍には、プッシュレール２１の押込み動作を組付けプレート２２側に伝える作動ピン２４が、側面視コ字形のブラケット２５を介して取り付けられる。ブラケット２５は、正面視略矩形の前板部２５１と、前板部２５１の上下両縁から後方に向けてせり出す上下一対のピン受け片２５２とを有し、前板部２５１がプッシュレール２１の背面に溶接等によって固着される。ピン受け片２５２は上面視Ｕ字形をなし、その後端近傍には円形のピン受け孔２５３が形成され、そのピン受け孔２５３に作動ピン２４が軸心を直立させた姿勢で挿着される。
【００２９】
プッシュレール２１と組付けプレート２２とは、組付けプレート２２の両端近傍に取り付けられた左右一対のレールガイド２６と、各レールガイド２６の内側に回動自在に取り付けられたクランク部材２７とを介して連結される。同時に、左右のクランク部材２７同士が、左右のレールガイド２６間に配置された横長のリンクロッド２８（後述）を介して互いに連結される。
【００３０】
レールガイド２６は、正面視矩形の基部２６１と、基部２６１の上下両縁から基部２６１に直交して前方にせり出す上下一対のガイド片２６２とを備えた側面視コ字形の部材で、基部２６１が組付けプレート２２の基板部２２１の正面にあてがわれ、組付けプレート２２の背面側からねじ止めされる。ガイド片２６２は、正面側に向かって水平に張り出し、上下に対向して、その間にプッシュレール２１のブラケット２５およびクランク部材２７が挟み込まれる。
【００３１】
上下のガイド片２６２には、クランク部材２７の回動中心となるクランク軸受け孔２６３と、扉面に直交する方向に延びるガイド用長孔２６４と、扉面と平行に延びるリンク用長孔２６５とが形成されている。そして、プッシュレール２１のブラケット２５に挿着された作動ピン２４が、レールガイド２６のガイド用長孔２６４に係合することにより、作動ピン２４の移動範囲、つまりプッシュレール２１の進退方向が、扉面と直交する方向に規制される。
【００３２】
クランク部材２７は、上面視角丸三角形状をなす上下一対のクランク片２７１が、正面側に形成された直立片２７２を介して一体的に結合された部材である。各クランク片２７１には、垂直軸回りに回動し得る３箇所のピン節点２７３、２７４、２７５が設けられる。
【００３３】
第一のピン節点２７３は、レールガイド２６のクランク軸受け孔２６３にクランク軸ピン２９を介して軸着されている。このピン節点２７３がクランク部材２７自体を回動させる支点となる。
【００３４】
第二のピン節点２７４は、プッシュレール２１のブラケット２５に取り付けられた作動ピン２４に係合して、プッシュレール２１の押込み操作を受ける力点となる。この係合箇所は、レールガイド２６のガイド用長孔２６４に沿って直線的に往復する作動ピン２４に対し、支点を中心にして回動するクランク部材２７が、その係合箇所を若干遊動させ得るよう、クランク部材２７の支点と結ぶ径方向にわずかに延びた長孔となされている。
【００３５】
第三のピン節点２７５は、リンクロッド２８の両端近傍にリンク連結ピン３１を介して連結され、リンクロッド２８を動かす作用点として機能する。リンクロッド２８は角パイプからなり、左右のクランク部材２７同士を連結して、両クランク部材２７の回動角を同期させる作用をなす。リンク連結ピン３１は、リンクロッド２８を垂直方向に貫通するように挿着された状態で、レールガイド２６のリンク用長孔２６５に係合する。クランク部材２７におけるリンク連結ピン３１との係合箇所は、リンク用長孔２６５に沿って直線的に往復するリンク連結ピン３１に対し、支点を中心にして回動するクランク部材２７が、その係合箇所を若干遊動させ得るように、クランク部材２７の支点と結ぶ径方向にわずかに延びた長孔となされている。
【００３６】
図７および図８は、プッシュレール２１の押込み操作に応動するクランク部材２７およびリンクロッド２８の動作を示している。なお、このような可動機構の説明に用いる図面には、その位置が動かずに動作の支点となる軸部材（固定節点）を黒丸で表し、その位置が動いて力点または作用点になる軸部材（移動節点）を白丸で表している。
【００３７】
前述の通り、プッシュレール２１の両端近傍とリンクロッド２８の両端近傍とが、左右のレールガイド２６にそれぞれ回動可能に取り付けられた左右一対のクランク部材２７を介してピン連結されることにより、平面視略平行四辺形をなす平行リンク機構が形成される。そして、プッシュレール２１の一部分が正面側から扉１０側に押し込まれると、少なくとも押された箇所に近いほうのクランク部材２７は、プッシュレール２１に取り付けられた作動ピン２４に押され、クランク軸ピン２９を支点として図７中右回りに回動する。そのクランク部材２７にリンク連結ピン３１を介して連結されたリンクロッド２８は、扉面と平行に吊元側（図中右方）へと移動して、他方のクランク部材２７を同じ角度だけ回動させる。つまり、このクランク部材２７は、力の作用する向きを略９０度変換するベルクランク（曲り梃子）でもある。このように構成された平行リンク機構が、左右のクランク部材２７の回動角を同期させながら全体的に変形することにより、プッシュレール２１が常に扉面と平行な姿勢を保持して左右均等に進退する。
【００３８】
プッシュレール２１を押込む力によってリンクロッド２８を軽快かつ円滑に移動させるためには、クランク部材２７に設ける３箇所のピン節点を、支点（２７３）を中心とする力点（２７４）と作用点（２７５）との平面角が７５〜１０５度、支点−力点間距離Ａと支点−作用点間距離Ｂとの比Ａ：Ｂが２：１〜１：１、となるように配置するのが力学的に好ましい。
【００３９】
図９は、プッシュレール２１の押込み操作に応動する解錠手段の構成と動作を示している。解錠手段は、組付けプレート２２の戸先近傍にトリガーホルダー３３を介して取り付けられた解錠トリガー３４と、プッシュレール２１の背面に取り付けられて解錠トリガー３４を動かすトリガー押込みブロック３５とよって構成される。
【００４０】
トリガーホルダー３３は、２個のトリガーホルダー半体３３０、３３０を組み合わせて構成される。各トリガーホルダー半体３３０は、正面視略矩形の基片３３１と、その片縁から前方にせり出すトリガー受け片３３２とを備えた上面視略Ｌ字形の部材である。これらのトリガーホルダー半体３３０が、組付けプレート２２に形成された窓孔２２６を間に挟んで、互いのトリガー受け片３３２同士を対向させて組付けプレート２２の正面にあてがわれ、各基片３３１が組付けプレート２２の背面側からねじ止めされる。
【００４１】
解錠トリガー３４は、作動アーム３４１と跳上げレバー３４２とが側面視く字状またはＴ字状をなすように一体化された梃子状の部材である。この解錠トリガー３４が、跳上げレバー３４２を組付けプレート２２および取付けケース２３の窓孔２２６、２３７に挿通させ、その先端部を扉１０内の錠装置１１Ａに係合させた状態で、左右のトリガー受け片３３２の間に組付けられる。
【００４２】
作動アーム３４１の上部には、トリガー軸ピン３４３が、その軸心を水平にして挿着されている。このトリガー軸ピン３４３が、各トリガー受け片３３２の上部に形成されたトリガー軸受け孔３３３に軸着されて、解錠トリガー３４が回動可能に保持される。また、作動アーム３４１の下部には、トリガーガイドピン３４４が、その軸心を水平にして挿着されている。このトリガーガイドピン３４４が、各トリガー受け片３３２の下部に形成されたトリガーガイド孔３３４に係合する。トリガーガイド孔３３４は、トリガー軸受け孔３３３を中心として円弧状に延びる長孔であり、トリガーガイドピン３４４はこのトリガーガイド孔３３３に沿って前後に移動し得るように保持される。
【００４３】
一方、プッシュレール２１の背面の戸先近傍には、トリガー押込みブロック３５が固着されている。トリガー押込みブロック３５の先端は、作動アーム３４１を左右から挟むように扉１０側に延びて、トリガーガイドピン３４４の両端近傍に当接している。プッシュレール２１を押込むと、このトリガー押込みブロック３５がトリガーガイドピン３４４を押す。すると、解錠トリガー３４の作動アーム３４１がトリガー軸ピン３４３を支点として扉１０側に揺動し、跳上げレバー３４２を上向きに跳ね上げる。これにより、扉１０の内部に収納された錠装置１１Ａが解錠されて、デッドボルト１２Ａが没入し、扉１０が開放可能になる。この錠装置１１Ａには、屋外側からの開扉操作を可能にするレバーハンドル（図示せず）や、屋外側からの開扉操作を規制するシリンダー錠（図示せず）、屋内側から施解錠するためのサムターン８５等も装備されるが、例示形態では、それらの詳細な機構は特に限定しない。
【００４４】
なお、例示形態においては、扉１０の開き勝手が左右反転した場合でも部品を共用できるようにするため、図４、図５に示すように、組付けプレート２２および取付けケース２３の右端寄りにもあらかじめ窓孔２２６、２３７がそれぞれ形成されるとともに、プッシュレールの右端寄りにはトリガー押込みブロック３５があらかじめ固着されて、解錠トリガー３４が右側にも取り付けられるように構成されている。
【００４５】
さらに、この開扉装置２０Ａには、押込まれたプッシュレール２１を押込み前の待機位置に戻す復帰付勢手段と、その復帰付勢手段を拘束して、錠装置１１Ａを解錠状態のままで保持するロック手段とが設けられている。図１０は、復帰付勢手段およびロック手段の構成と動作を示している。
【００４６】
復帰付勢手段は、リンクロッド２８に挿装された圧縮コイルばね４１を利用して構成される。圧縮コイルばね４１は、リンクロッド２８の戸先近傍を上下に貫通するように取り付けられたばね止めピン４２と、組付けプレート２２の中間部適所に取り付けられた、ばね受け兼ストッパーホルダー４３との間に挟み込まれている。そして、プッシュレール２１の押込み操作によりリンクロッド２８が吊元側へ移動すると、圧縮コイルばね４１がさらに圧縮され、その反発弾性によってリンクロッド２８を戸先側へ押戻す。これにより、クランク部材２７およびプッシュレール２１が押込み前の待機位置へと復帰する。
【００４７】
ロック手段は、ばね受け兼ストッパーホルダー４３の内側に組み付けられた解錠ストッパー４４を利用して構成される。ばね受け兼ストッパーホルダー４３は、リンクロッド２８が遊挿される角孔４３１を備えたばね受け板４３２と、ばね受け板４３２の上下両縁から吊元側に向けて水平に延設された上下一対のストッパー受け片４３３と、各ストッパー受け片４３３の後縁からそれぞれ垂直に延設された上下の固定片４３４とを有する部材で、固定片４３４が組付けプレート２２の基板部２２１にあてがわれ、組付けプレート２２の背面側からねじ止めされる。ストッパー受け片４３３には、円形のストッパー軸受け孔４３５が上下に対向して形成されている。このストッパー軸受け孔４３５に、六角孔付きの操作頭部４５１を有するストッパー軸ピン４５が、下側のストッパー受け片４３３の下方から上向きに挿着され、軸心を直立させて回動可能に保持される。
【００４８】
このストッパー軸ピン４５に、解錠ストッパー４４と、ストッパーガイド４６とが、ストッパー軸ピン４５と一体的に回動するように取り付けられる。解錠ストッパー４４は、水平方向に延びるストッパーアーム４４１を有し、ストッパーアーム４４１の幅広部分にストッパー軸ピン４５が貫通するように取り付けられる。ストッパーガイド４６は略円筒状の部材で、ストッパー軸ピン４５の略下半部に挿装されて、ストッパーアーム４４１の高さをリンクロッド２８の高さに揃えるように、ストッパーアーム４４１を支承している。
【００４９】
ストッパーアーム４４１の先端にはフック部４４２が形成されており、一方、リンクロッド２８には、そのフック部４４２が係合し得る係合溝２８１が形成されている。施錠状態では、ストッパーアーム４４１が、フック部４４２をリンクロッド２８から離した位置に保持される。解錠状態では、ストッパーアーム４４１を回動させて、フック部４４２をリンクロッド２８の係合溝２８１に係合させることができ、これによりリンクロッド２８の移動が規制されて、解錠状態が保持される。
【００５０】
解錠ストッパー４４とばね受け板４３２との間には、ストッパーアーム４４１を施錠位置および解錠位置にそれぞれ確実に位置決めするために、揺動フォーク４７と押えばね４８とが組付けられている。揺動フォーク４７は、細い軸部４７１と、その先端に形成された二股部４７２とを有しており、二股部４７２がストッパーアーム４４１に形成された切欠部４４３に係止される。軸部４７１は、その周囲に押えばね４８を挿装した状態で、ばね受け兼ストッパーホルダー４３のばね受け板４３２に形成された遊孔４３６に揺動可能に挿入されている。この状態で、二股部４７２とばね受け板４３２との間に挟まれて圧縮された押えばね４８が二股部４７２をストッパーアーム４４１の切欠部４４３に押え付けることにより、ストッパーアーム４４１が、施錠位置または解錠位置のいずれかに、節度感をもって位置決めされる。
【００５１】
このロック手段は、取付けケース２３の下壁部２３４に形成された操作用丸孔２３８と、プッシュレール２１の下面部２１３に形成されたＵ字形切欠部２１８とを通じて、それらの下方から六角レンチ等でストッパー軸ピン４５の操作頭部４５１を回すことにより、施錠状態と解錠状態とを簡単に切り替えることができる。
【００５２】
さらに、この開扉装置２０Ａには、それ自身の施解錠状態を電気的に検出するための信号用スイッチ４９１が設けられている。例示の信号用スイッチ４９１には、例えばヒンジレバー形のアクチュエータを有するマイクロスイッチが用いられている。この信号用スイッチ４９１が、アクチュエータをリンクロッド２８に近接させるようにして、組付けプレート２２の中間部適所にねじ止めされたスイッチ台４９２に取り付けられている。そして、プッシュレール２１の押込み操作によりリンクロッド２８が吊元側へ移動すると、リンクロッド２８の適所に添設された突片４９３がアクチュエータに接触して、信号用スイッチをＯＮにする。すると、錠装置１１Ａが解錠されたことを通知する「非常開」の信号が、例えば施設全体を管理する保安部門の制御装置等に対して送出される。信号送出用の配線（図示せず）は、組付けプレート２２と取付けケース２３との隙間を経由して扉１０内に引き込まれ、吊元側から適所へと延設される。開扉装置２０Ａが解錠状態でロックされている場合は、「非常開」の信号は連続的に送出される。
【００５３】
前述のように構成される開扉装置２０Ａは、おおむね以下のようにして組み立てられ、扉１０に取付けられる。すなわち、まず組付けプレート２２の基板部２２１に、平行リンク機構、解錠手段、ロック手段等を構成する部品類が組付けられる。それらの部品の大部分は、組付けプレート２２の背面側（扉１０側）から基板部２２１にねじ止めされる。さらに、その組付けプレート２２にプッシュレール２１が連結される。
【００５４】
一方、扉１０には屋内側から取付けケース２３が固着される。そして、取付けケース２３内に組付けプレート２２が収納され、左右両外側から、取付けケース２３の内側蓋２３５と組付けプレート２２の締結片２２２とが、キャップボルト（六角孔付きボルト）３２によって締結される。
【００５５】
このとき、取付けケース２３の左右両端の、内側蓋２３５と外側蓋との間に、プッシュレール２１の押込み操作を案内するためのガイドキャップ５１が正面側から挿入されて、キャップボルト３２により共締めされる。このガイドキャップ５１は、潤滑樹脂（例えばポリアセタールその他のエンジニアリングプラスチック）からなる成形部品で、正面側に開口する角孔状または凹溝状のガイド孔５１１を有している。ガイド孔の上下の内面には前後方向に連続する小さい凸条５１２が形成されている。このガイド孔に、プッシュレール２１の背面の両端近傍に突設されたガイドピン２１５が挿入され、上下の凸条５１２に摺接しながら進退する。これにより、プッシュレール２１を押込む際の上下方向のガタつきが抑制されて、操作が円滑になる。
【００５６】
このように、あらかじめ組付けプレート２２とプッシュレール２１とを一体的に連結して主要な機構部分をユニット化しておくとともに、取付けケース２３は扉１０に後付けできる形状にして、扉１０に取り付けた取付けケース２３に組付けプレート２２を結合する、という態様での組付けを可能としたことにより、扉１０への設置作業がきわめて容易になり、設置後の外観もスッキリとしたものになる。
【００５７】
また、この開扉装置２０Ａは、プッシュレール２１を押し込んで錠装置１１Ａを解錠するための機構部分を簡素かつコンパクトに構成することができる。プッシュレール２１を保持する左右のレールガイド２６およびクランク部材２７の間隔も大きく確保することができるので、プッシュレール２１の押込み操作が安定して、好ましい操作感が得られる。
【００５８】
［第２実施形態］
図１１は本発明の第２実施形態に係る非常扉１Ｂの全体的構成を屋内側から見た正面図である。この非常扉１Ｂも、前述した非常扉１Ａと同様に、扉１０が、図中右側を吊元側として適宜のヒンジ部材（図示せず）により軸支され、屋内側から屋外側に向けて開放されるものである。ただし、この第２実施形態では、開扉装置２０Ｂが、面付型の錠装置１１Ｂと一体的に構成されており、開扉装置２０Ｂの戸先側から出没する閂部材としてのラッチ１２Ｂが、扉枠１３の屋内側に添設されたストライク１４Ｂに係合して扉１０が閉扉位置に拘束されるとともに、開扉装置２０Ｂの戸先近傍下方に添設された錠ケース１５内に、開扉装置２０Ｂの操作を規制する施解錠機構が組み込まれている。
【００５９】
この非常扉１Ｂに取り付けられる開扉装置２０Ｂは、第１実施形態に係る非常扉１Ａに取り付けられる開扉装置２０Ａと、ほぼ同様一の内部機構を有する。すなわち、扉１０の屋内側の表面に、扉幅の略一杯にわたって、横長形状のプッシュレール２１が取り付けられ、このプッシュレール２１を進退可能に保持する主要な機構部分が、横長形状の組付けプレート２２に組み付けられた状態で、扉１０の屋内側の表面に添設された横長形状の取付けケース２３内に収納される。プッシュレール２１と組付けプレート２２とは、組付けプレート２２の両端近傍に取り付けられた左右一対のレールガイド２６と、各レールガイド２６の内側に回動自在に取り付けられたクランク部材２７とを介して連結されるとともに、左右のクランク部材２７同士がリンクロッド２８を介して互いに連結され、平面視略平行四辺形をなす平行リンク機構が形成される。このプッシュレール２１を扉１０側に向けて押込むと、プッシュレール２１が扉面と平行な姿勢を保持して左右均等に移動する。この平行リンク機構には、押込まれたプッシュレール２１を押込み前の待機位置に戻す復帰付勢手段と、その復帰付勢手段を拘束して、錠装置１１Ｂを解錠状態に保持するロック手段も設けられる。これら平行リンク機構、復帰付勢手段、ロック手段の具体的な構成は、図２〜図８および図１０に示した第１実施形態の構成と同一であるので、それらの詳細な説明は省略する。
【００６０】
この第２実施形態に係る開扉装置２０Ｂは、面付型の錠装置１１Ｂと一体化された構造を有しているので、戸先近傍の構造および解錠手段の構成が、第１実施形態とは相違している。その相違箇所を図１２〜図１４に示す。
【００６１】
この開扉装置２０Ｂにあっては、戸先側の端部に、ラッチカバー６１を介してラッチ１２Ｂが取り付けられている。ラッチカバー６１は、合成樹脂により形成され、組付けプレート２２および取付けケース２３の戸先側端部の上下両縁から正面側にせり出すように形成されたラッチ取付け片２２９、２３９の外側に被せられて、それらラッチ取付け片２２９、２３９にねじ止めされている。ラッチカバー６１の手前部分は、プッシュレール２１の正面および上下両面と面一に揃う形状に形成されて吊元側へと若干延び出し、非操作状態にあるプッシュレール２１の戸先側の端面を塞いでいる。
【００６２】
ラッチ１２Ｂは、上面視略扇形をなし、ラッチカバー６１の内部に収納されて、ラッチ止め軸６２によりラッチ取付け片２２９、２３９に軸着され、ラッチカバー６１の戸先面に形成されたラッチ開口６１１から出没するように保持される。
【００６３】
ラッチ１２Ｂの裏側には、解錠手段としてのラッチ引込みプレート６３が連結される。ラッチ引込みプレート６３は、後述するレバーハブ７４等を避けるように前後方向および上下方向に屈曲して吊元側へと延びる細長い板状の部材である。例示形態では、正面視において上下対称の形状をなす２枚のラッチ引込みプレート６３が、上下に重合された状態で、ラッチ１２Ｂとリンクロッド２８との間に組付けられる。ラッチ引込みプレート６３の戸先側の端部は、ラッチ１２Ｂの裏側に形成された上面視略半円形の凹溝部１２１に挿入されて、ラッチ１２Ｂを上下方向に貫通する止めピン６４に係着されている。
【００６４】
ラッチ引込みプレート６３の吊元側の端部近傍は、リンクロッド２８の戸先側の端部近傍を上下から挟み込むようにして、リンクロッド２８に連結される。リンクロッド２８の戸先側の端部近傍には、ラッチ引寄せピン６５が、リンクロッド２８を上下方向に貫通するように取り付けられており、このラッチ引寄せピン６５の上下両端が、ラッチ引込みプレート６３の吊元側の端部近傍に形成された長孔６３１に係合されている。そして、図１５および図１６に示すように、プッシュレール２１が押込まれてリンクロッド２８が吊元側に移動すると、ラッチ引込みプレート６３を介してラッチ１２Ｂが吊元側に引込まれ、ラッチカバー６１内に没入して、扉１０が開放可能になる。
【００６５】
ラッチ引込みプレート６３の折曲段部６３２とリンクロッド２８との間には、圧縮コイルばね６６が組込まれている。この圧縮コイルばね６６は、プッシュレール２１の押込み操作が解除されてリンクロッド２８が吊元側の復帰位置へ戻る際に、ラッチ引込みプレート６３を戸先側へと押出して、ラッチ１２Ｂを突出させる作用をなす。
【００６６】
この開扉装置２０Ｂは、屋外側からレバーハンドル７１を押下げ操作して開扉１０することもできる。レバーハンドル７１は、扉１０の屋外側にハンドル座７２を介して取り付けられ、その基端に結合されたハンドル角軸７３が扉１０を貫通して、開扉装置２０Ｂの内側に取り付けられたレバーハブ７４に達している。レバーハブ７４は、ハンドル角軸７３に係合して、レバーハンドル７１と一緒に約４０〜５０度、図１３において時計回りに回動し得るように取り付けられている。レバーハブ７４には、径外方向に突出するレバーアーム７４１が形成されて、その先端にレバー作動ピン７５が取り付けられている。また、レバーハブ７４の外周部分には、レバーハブ７４の回動範囲を規制するストッパーピン７６が係合するとともに、回動したレバーハブ７４を復帰方向に付勢するレバー戻しばね７７が取付けられている。
【００６７】
レバーハブ７４の吊元側には、開扉ブロック７８が配置されている。開扉ブロック７８は、その底面の一部をラッチ引込みプレート６３の上面に載せるように配置されて、レバー作動ピン７５と、ラッチ引込みプレート６３に形成された折曲段部６３２との間に挟み込まれている。
【００６８】
開扉ブロック７８の上面には、後述する切替プレート８１の上端から前方にせり出すガイド片８１１が重ねられるとともに、開扉ブロック７８の上面にはガイドピン７９が取り付けられ、このガイドピン７９がガイド片８１１に形成された横長孔８１２に係合している。そして、図１７および図１８に示すように、レバーハンドル７１の押下げ操作によってレバーハブ７４が回動すると、レバー作動ピン７５に押された開扉ブロック７８が、その上面をガイド片８１１に押さえられた状態で図中右方に摺動し、ラッチ引込みプレート６３を吊元側へと押込む。これにより、ラッチ１２Ｂが吊元側に引込まれて、扉１０が開放可能になる。なお、このときにリンクロッド２８は動かない。
【００６９】
切替プレート８１のガイド片８１１と、開扉ブロック７８に取り付けられたガイドピン７９との間には、キックばね（ねじりコイルばね）８２が取り付けられている。このキックばね８２は、レバーハンドル７１の押下げ操作が解除されてレバー作動ピン７５が吊元側に戻る際に、開扉ブロック７８を戸先側へと押戻して、ラッチ引込みプレート６３が戸先側に復帰するのを容易にする作用をなす。
【００７０】
前述したレバーハンドル７１による屋外側からの開扉操作は、必要に応じ、錠ケース１５内に組み込まれた施解錠機構の操作によって規制される。
【００７１】
施解錠機構は、屋外側から操作されるシリンダー錠８４と、屋内側から操作されるサムターン８５と、それらに係合して施錠位置と解錠位置との間で回動する解錠ハブ８６と、解錠ハブ８６の回動に連動して昇降し、レバーハブ７４の操作を有効または無効にする前述の切替プレート８１と、を具備している。
【００７２】
サムターン８５、解錠ハブ８６および切替プレート８１は、取付けケース２３の下壁部２３４の戸先近傍を切り欠いて、その切欠箇所から組付けプレート２２の基板部２２１を下向きに延設して形成された錠ケース組付け片２２５に取付けられている。それらの前面には押えプレート８７が重ねられて錠ケース組付け片２２５にねじ止めされ、略箱状のケースカバー８８が被せられている。
【００７３】
シリンダー錠８４は、サムターン８５に相対して、扉１０の屋外側の、レバーハンドル７１のやや下方に取り付けられている。シリンダー錠８４の錠軸（テールピース）８４１とサムターン８５のサムターン軸８５１とは互いに連結され、両者は約９０度の範囲で一体的に回動する。
【００７４】
解錠ハブ８６は、サムターン軸８５１に装着されてサムターン軸８５１とともに回動する筒部８６１と、その筒部８６１から径外方向に突出した切替突起８６２とを有している。また、筒部８６１の上方に膨出した部分に施解錠切替ピン８９が取り付けられ、この施解錠切替ピン８９が押えプレート８７に形成された弧状孔８７１に係合して、解錠ハブ８６の回動範囲が規制されている。さらに、施解錠切替ピン８９と押えプレート８７の間には正面視略Ω形に屈曲された細工ばね９１が掛着され、解錠ハブ８６が施錠位置または解錠位置に節度感をもって位置決めされるように付勢されている。
【００７５】
切替プレート８１は、解錠ハブ８６の図中右方に配置されて上下方向に延びる細長い部材であり、その上部および中間部に形成された２か所の長孔８１３を、組付けプレート２２の基板部２２１および錠ケース組付け片２２５にそれぞれ取り付けられた２か所の昇降ガイドピン９２に係合させた状態で、昇降し得るように保持されている。切替プレート８１の下端近傍には、解錠ハブ８６の切替突起８６２に係合する係合凹部８１４が形成されている。
【００７６】
シリンダー錠８４またはサムターン８５が解錠されている状態では、図１７および図１８に示したように、レバーハンドル７１による屋外側からの開扉操作が可能になる。しかし、図１９に示すように、シリンダー錠８４またはサムターン８５が図中左回りに回動された施錠状態になると、解錠ハブ８６の切替突起８６２が切替プレート８１の係合凹部８１４を押し上げて、切替プレート８１が上昇する。すると、切替プレート８１の上部のガイド片８１１に係合された開扉ブロック７８も一緒に持ち上げられて、開扉ブロック７８がラッチ引込みプレート６３から離れる。この状態では、レバーハブ７４の回動がラッチ引込みプレート６３に伝達されなくなるので、レバーハンドル７１を操作しても空転して開扉できなくなる。このような施解錠機構を設けることにより、開扉装置２０Ｂの実用性が向上する。
【００７７】
本発明の開扉装置２０Ｂは、このように面付型の錠装置１１Ｂと一体化された構成によっても、良好な操作性を保持しつつ、扉１０への設置を容易にすることができる。また、設置後の外観もスッキリとしたものになる。
【００７８】
なお、本発明の技術的範囲は、例示した実施の形態によって限定的に解釈されるべきものではなく、特許請求の範囲の記載に基づいて概念的に解釈されるべきものである。本発明の実施に際しては、例示形態と実質的に同様の作用効果が得られる範囲において、構成部品の配置や形状等を適宜改変することはもちろん可能である。
【符号の説明】
【００７９】
１Ａ、１Ｂ  非常扉
１０  扉
１１Ａ、１１Ｂ  錠装置
１２Ａ  デッドボルト（閂部材）
１２Ｂ  ラッチ（閂部材）
１２１  凹溝部
１３  扉枠
１４Ａ、１４Ｂ  ストライク
１５  錠ケース
２０Ａ、２０Ｂ  開扉装置
２１  プッシュレール
２１１  押板部
２１２  上面部
２１３  下面部
２１４    曲端部
２１５  ガイドピン
２１８  Ｕ字形切欠部
２２  組付けプレート
２２１  基板部
２２２    締結片
２２３    補剛リブ
２２５  錠ケース組付け片
２２６  窓孔
２２７  逃げ孔
２２９  ラッチ取付け片
２３  取付けケース
２３１  背板部
２３２  固定ねじ
２３３  上壁部
２３４  下壁部
２３５  内側蓋
２３６  外側蓋
２３７  窓孔
２３８  操作用丸孔
２３９  ラッチ取付け片
２４  作動ピン
２５  ブラケット
２５１  前板部
２５２  ピン受け片
２５３  ピン受け孔
２６  レールガイド
２６１  基部
２６２  ガイド片
２６３  クランク軸受け孔
２６４  ガイド用長孔
２６５  リンク用長孔
２７  クランク部材
２７１  クランク片
２７２  直立片
２７３、２７４、２７５  ピン節点
２８  リンクロッド
２８１  係合溝
２９  クランク軸ピン
３１  リンク連結ピン
３２  キャップボルト
３３  トリガーホルダー
３３０  トリガーホルダー半体
３３１  基片
３３２  トリガー受け片
３３３  トリガー軸受け孔
３３４  トリガーガイド孔
３４  解錠トリガー
３４１  作動アーム
３４２  跳上げレバー
３４３  トリガー軸ピン
３４４  トリガーガイドピン
３５  トリガー押込みブロック
４１  圧縮コイルばね
４２  ばね止めピン
４３  ばね受け兼ストッパーホルダー
４３１  角孔
４３２  ばね受け板
４３３  ストッパー受け片
４３４  固定片
４３５  ストッパー軸受け孔
４３６  遊孔
４４  解錠ストッパー
４４１  ストッパーアーム
４４２  フック部
４４３  切欠部
４５  ストッパー軸ピン
４５１  操作頭部
４６  ストッパーガイド
４７  揺動フォーク
４７１  軸部
４７２  二股部
４８  押えばね
４９１  信号用スイッチ
４９２  スイッチ台
４９３  突片
５１  ガイドキャップ
５１１  ガイド孔
５１２  凸条
６１  ラッチカバー
６２  ラッチ止め軸
６３  ラッチ引込みプレート
６３１  長孔
６３２  折曲段部
６４  止めピン
６５  ラッチ引寄せピン
６６  圧縮コイルばね
７１  レバーハンドル
７２  ハンドル座
７３  ハンドル角軸
７４  レバーハブ
７４１  レバーアーム
７５  レバー作動ピン
７６  ストッパーピン
７７  レバー戻しばね
７８  開扉ブロック
７９  ガイドピン
８１  切替プレート
８１１  ガイド片
８１２  横長孔
８１３  縦長孔
８１４  係合凹部
８２  キックばね
８４  シリンダー錠
８４１  錠軸
８５  サムターン
８５１    サムターン軸
８６  解錠ハブ
８６１    筒部
８６２    切替突起
８７  押えプレート
８７１    弧状孔
８８  ケースカバー
８９  施解錠ガイドピン
９１  細工ばね
９２  昇降ガイドピン
【図１】
2018016967.tif 000003
【図２】
2018016967.tif 000004
【図３】
2018016967.tif 000005
【図４】
2018016967.tif 000006
【図５】
2018016967.tif 000007
【図６】
2018016967.tif 000008
【図７】
2018016967.tif 000009
【図８】
2018016967.tif 000010
【図９】
2018016967.tif 000011
【図１０】
2018016967.tif 000012
【図１１】
2018016967.tif 000013
【図１２】
2018016967.tif 000014
【図１３】
2018016967.tif 000015
【図１４】
2018016967.tif 000016
【図１５】
2018016967.tif 000017
【図１６】
2018016967.tif 000018
【図１７】
2018016967.tif 000019
【図１８】
2018016967.tif 000020
【図１９】
2018016967.tif 000021